(57)【特許請求の範囲】
【請求項１】
タップ切換の制御をする電動操作箱により負荷時にタップを切り換える負荷時タップ切換装置が設けられていると共に負荷に応じた電流を流す変流器が設けられている変圧器の状態を判定する変圧器の保守支援装置であって、
前記変流器の電流により前記変圧器に流れる電流を検出する電流検出手段と、
前記負荷時タップ切換装置からタップ切換を示す信号を受け取ると、前記電流検出手段が検出した電流を基に、タップ切換時の前記変圧器の負荷を調べ、前記変圧器の負荷を基にして、前記負荷時タップ切換装置の主接触子の消耗量を調べると共に前記負荷時タップ切換装置の抵抗接触子の消耗量を調べ、前記２つの消耗量により前記変圧器の状態を判定する判定手段と、を備え、
前記判定手段は、前記抵抗接触子の消耗量を調べる場合に、前記主接触子と前記抵抗接触子との消耗量が同じになる基準点の負荷に比べて前記変圧器の負荷が低くなると、前記基準点の消耗量に比べて前記抵抗接触子の消耗量を高くすることにより、前記抵抗接触子の消耗量を調べる、
ことを特徴とする変圧器の保守支援装置。
【請求項２】
電動操作箱による制御によりタップを負荷時に切り換える負荷時タップ切換装置が設けられていると共に負荷に応じた電流を流す変流器が設けられている変圧器の状態を判定する変圧器の保守支援方法であって、
前記変流器の電流により前記変圧器に流れる電流を電流検出手段により検出し、
前記負荷時タップ切換装置からタップ切換を示す信号を受け取ると、前記電流検出手段が検出した電流を基に、タップ切換時の前記変圧器の負荷を判定手段により調べ、
前記変圧器の負荷を基にして、前記判定手段により、前記負荷時タップ切換装置の主接触子の消耗量を調べると共に、前記主接触子と前記負荷時タップ切換装置の抵抗接触子との消耗量が同じになる基準点の負荷に比べて前記変圧器の負荷が低くなると、前記基準点の消耗量に比べて前記抵抗接触子の消耗量を高くすることにより、前記抵抗接触子の消耗量を調べ、
前記２つの消耗量により前記変圧器の状態を判定手段により判定する、
ことを特徴とする変圧器の保守支援方法。
【発明の詳細な説明】
【技術分野】
【０００１】
この発明は、変圧器の保守時期の判定等を支援する変圧器の保守支援装置および保守支援方法に関する。
【背景技術】
【０００２】
電力会社では、顧客に電気を供給する場合、変電所に設置されている変圧器により、例えば１１０ｋＶの高電圧を、６．６ｋＶの電圧に変換して、柱上の変圧器に送っている。こうした状態のときに、例えば昼間のように、顧客による電力需要が多くなると、電圧が規定値よりも下がり、逆に、夜間のように、顧客による電力需要が少なくなると、電圧が規定値よりも上がる。このような場合に、変電所では、変圧器のタップを切り換えて、電圧が規定内になるように、電圧を調整している。このために、例えば図６に示すように、変圧器１００は、巻線部１１０と負荷時タップ切換装置１２０とを備えている。巻線部１１０は高電圧を変圧すると共に巻線部１１０の例えば１次側に電圧調整のためのタップを備えている。負荷時タップ切換装置１２０は、巻線部１１０の電圧調整用のタップを切り換えて電圧調整を行う。
【０００３】
負荷時タップ切換装置１２０の一例を図７に示す。なお、図７では、変圧器１００の３相の中の１相に対応する部分を示している。負荷時タップ切換装置１２０は、巻線部１１０の１次巻線１１１に設けられたタップ選択器１２１を備えている。タップ選択器１２１は、１次巻線１１１の奇数側のタップＴＰ７に接続されている固定接触子１２１Ａ１と、１次巻線１１１の偶数側のタップＴＰ６、ＴＰ８に接続されている固定接触子１２１Ａ２、１２１Ａ３とを備えている。また、タップ選択器１２１は、固定接触子１２１Ａ１と可動で接触する可動接触子１２１Ｂ１と、固定接触子１２１Ａ２、１２１Ａ３と可動で接触する可動接触子１２１Ｂ２とを備えている。
【０００４】
さらに、負荷時タップ切換装置１２０は、切換開閉器１２２を備えている。切換開閉器１２２は、導電性の湾曲した駆動部１２２Ａを備えている。駆動部１２２Ａの外側には、主接触子１２２Ｂの接触子１２２Ｂ１と抵抗接触子１２２Ｃの接触子１２２Ｃ１とが設けられている。同じように、駆動部１２２Ａの外側には、抵抗接触子１２２Ｄの接触子１２２Ｄ１と主接触子１２２Ｅの接触子１２２Ｅ１とが設けられている。
【０００５】
主接触子１２２Ｂの接触子１２２Ｂ２は、可動接触子１２１Ｂ１に接続され、抵抗接触子１２２Ｃの接触子１２２Ｃ２は、限流抵抗１２３Ａを経て可動接触子１２１Ｃ１に接続されている。同じように、抵抗接触子１２２Ｄの接触子１２２Ｄ２は、限流抵抗１２３Ｂを経て可動接触子１２１Ｄ１に接続され、主接触子１２２Ｅの接触子１２２Ｅ２は、可動接触子１２１Ｅ１に接続されている。
【０００６】
主接触子１２２Ｂ、１２２Ｅと抵抗接触子１２２Ｃ、１２２Ｄは、駆動部１２２Ａにより、閉または開になる。例えば接触子１２２Ｂが閉になると、主接触子１２２Ｂの可動接触子１２１Ｂ１と接触子１２２Ｂ２とが接触して、主接触子１２２Ｂは導通状態になる。逆に、主接触子１２２Ｂが開になると、この主接触子１２２Ｂは離れて非導通状態になる。他の主接触子１２２Ｅと抵抗接触子１２２Ｃ、１２２Ｄも同様である。
【０００７】
こうした負荷時タップ切換装置１２０では、図８に示すように、駆動部１２２Ａにより、主接触子１２２Ｂが閉となり、かつ、主接触子１２２Ｅと抵抗接触子１２２Ｃ、１２２Ｄとが開となっているときに、１次巻線１１１のタップＴＰ７からの電流は、経路ｉ１に沿って流れる。この状態の場合に、タップＴＰ７からタップＴＰ６に切り換える場合、駆動部１２２Ａは次のようにして、切換動作を行う。なお、図８では、図を明確にするために、駆動部１２２Ａを簡略化している。
【０００８】
負荷時タップ切換装置１２０が切換動作を開始すると、駆動部１２２Ａは、図９に示すように、主接触子１２２Ｂと共に抵抗接触子１２２Ｃを閉にする。これにより、１次巻線１１１のタップＴＰ７からの電流は、経路ｉ１に沿って流れると共に経路ｉ２に沿って流れる。
【０００９】
次に、駆動部１２２Ａは、図１０に示すように、主接触子１２２Ｂを開にすると共に抵抗接触子１２２Ｄを閉にする。これにより、１次巻線１１１のタップＴＰ７からの電流は、経路ｉ２に沿って流れると共に、１次巻線１１１のタップＴＰ６からの電流は、経路ｉ３に沿って流れる。この結果、タップＴＰ７からの電流は限流抵抗１２３Ａにより減少して流れ、タップＴＰ６からの電流は限流抵抗１２３Ｂにより減少して流れる。
【００１０】
この後、駆動部１２２Ａは、図１１に示すように、抵抗接触子１２２Ｃを開にすると共に主接触子子１２２Ｅを閉にする。これにより、１次巻線１１１のタップＴＰ６からの電流は、経路ｉ３に沿って流れると共に経路ｉ４に沿って流れる。
【００１１】
この後、駆動部１２２Ａは、図１２に示すように、抵抗接触子１２２Ｄを開にする。これにより、タップ６からのみの電流が経路ｉ４に沿って流れることになる。
【００１２】
こうして、負荷時タップ切換装置１２０では、駆動部１２２Ａにより、タップ７からタップ６に切り換える場合、一度、限流抵抗１２３Ａ、１２３Ｂに電流を流すことにより、タップ切り換え時のショックを和らげている。
【００１３】
こうした主接触子１２２Ｂ、１２２Ｅや抵抗接触子１２２Ｃ、１２２Ｄを備える切換開閉器１２２は絶縁油に浸されている。しかし、この状態でも、主接触子１２２Ｂ、１２２Ｅや抵抗接触子１２２Ｃ、１２２Ｄが離れるとき、つまり閉から開になるとき、火花が出て、主接触子１２２Ｂ、１２２Ｅや抵抗接触子１２２Ｃ、１２２Ｄが消耗する。
【００１４】
ところで、切換開閉器１２２はＪＥＣ規格で規定された電気的寿命である２０万回を満足するように製作されている。このために、変圧器の寿命を判定する装置がある（例えば、特許文献１参照。）。この装置は、先に述べたような変圧器のタップ切換の回数をカウントして、変圧器の寿命を判定する。また、この装置は、タップ切換の回数をカウントする際に、無負荷の切換回数を除いている。さらに、接触子の電流値が少なければ消耗が少ないので、この装置は、電流値に応じた消耗係数を参照して、接点寿命つまり変圧器の寿命を推定する。
【先行技術文献】
【特許文献】
【００１５】
【特許文献１】特開２００４−２３０１３号公報
【発明の概要】
【発明が解決しようとする課題】
【００１６】
しかし、先に示した、変圧器の寿命を判定する装置には、次の課題がある。変圧器の負荷と接触子の消耗に関する最新の知見によれば、接触子の消耗量は、単純に、負荷の電流量に比例しないことが判明している。このために、この装置では、変圧器の状態を推定して、変圧器の保守時期等を適切に判定することができない、という課題がある。
【００１７】
この発明の目的は、前記の課題を解決し、変圧器の状態を適切に判定することを可能にする変圧器の保守支援装置および保守支援方法を提供することにある。
【課題を解決するための手段】
【００１８】
前記の課題を解決するために、請求項１の発明は、タップ切換の制御をする電動操作箱により負荷時にタップを切り換える負荷時タップ切換装置が設けられていると共に負荷に応じた電流を流す変流器が設けられている変圧器の状態を判定する変圧器の保守支援装置であって、前記変流器の電流により前記変圧器に流れる電流を検出する電流検出手段と、前記負荷時タップ切換装置からタップ切換を示す信号を受け取ると、前記電流検出手段が検出した電流を基に、タップ切換時の前記変圧器の負荷を調べ、前記変圧器の負荷を基にして、前記負荷時タップ切換装置の主接触子の消耗量を調べると共に前記負荷時タップ切換装置の抵抗接触子の消耗量を調べ、前記２つの消耗量により前記変圧器の状態を判定する判定手段と、を備え、前記判定手段は、前記抵抗接触子の消耗量を調べる場合に、前記主接触子と前記抵抗接触子との消耗量が同じになる基準点の負荷に比べて前記変圧器の負荷が低くなると、前記基準点の消耗量に比べて前記抵抗接触子の消耗量を高くすることにより、前記抵抗接触子の消耗量を調べる、ことを特徴とする変圧器の保守支援装置である。
【００１９】
請求項１の発明では、変流器の電流により変圧器に流れる電流を電流検出手段が検出する。判定手段は、負荷時タップ切換装置からタップ切換を示す信号を受け取ると、電流検出手段が検出した電流を基に、タップ切換時の変圧器の負荷を調べる。この後、判定手段は、変圧器の負荷を基にして、負荷時タップ切換装置の主接触子の消耗量を調べると共に負荷時タップ切換装置の抵抗接触子の消耗量を調べる。そして、判定手段は、２つの消耗量により変圧器の状態を判定する。
【００２１】
請求項２の発明は、電動操作箱による制御によりタップを負荷時に切り換える負荷時タップ切換装置が設けられていると共に負荷に応じた電流を流す変流器が設けられている変圧器の状態を判定する変圧器の保守支援方法であって、前記変流器の電流により前記変圧器に流れる電流を電流検出手段により検出し、前記負荷時タップ切換装置からタップ切換を示す信号を受け取ると、前記電流検出手段が検出した電流を基に、タップ切換時の前記変圧器の負荷を判定手段により調べ、前記変圧器の負荷を基にして、前記判定手段により、前記負荷時タップ切換装置の主接触子の消耗量を調べると共に、前記主接触子と前記負荷時タップ切換装置の抵抗接触子との消耗量が同じになる基準点の負荷に比べて前記変圧器の負荷が低くなると、前記基準点の消耗量に比べて前記抵抗接触子の消耗量を高くすることにより、前記抵抗接触子の消耗量を調べ、前記２つの消耗量により前記変圧器の状態を判定手段により判定する、ことを特徴とする変圧器の保守支援方法である。
【発明の効果】
【００２２】
請求項１および請求項２の発明によれば、負荷時タップ切換装置の主接触子の消耗量を判定すると共に抵抗接触子の消耗量も調べるので、変圧器の状態を適切に判定することを可能にする。
【００２３】
また、変圧器の負荷が低いときには抵抗接触子の消耗増大という補正を消耗量に反映することができ、さらに適切に、変圧器の状態を判定することを可能にする。
【図面の簡単な説明】
【００２４】
【図１】この発明の実施の形態による変圧器の保守支援装置の一例を示す構成図である。
【図２】変圧器負荷と消耗量を示す図である。
【図３】消耗量演算処理の一例を示すフローチャートである。
【図４】判定処理の一例を示すフローチャートである。
【図５】判定の様子を説明する図である。
【図６】変圧器の一例を示す構成図である。
【図７】負荷時タップ切換装置の一例を示す構成図である。
【図８】負荷時タップ切換装置の動作を説明する説明図である。
【図９】負荷時タップ切換装置の動作を説明する説明図である。
【図１０】負荷時タップ切換装置の動作を説明する説明図である。
【図１１】負荷時タップ切換装置の動作を説明する説明図である。
【図１２】負荷時タップ切換装置の動作を説明する説明図である。
【発明を実施するための形態】
【００２５】
次に、この発明の実施の形態について、図面を用いて詳しく説明する。この実施の形態による変圧器の保守支援装置（以下、単に「保守支援装置」という）を図１に示す。なお、この実施の形態では、先に説明した図６および図７と同一もしくは同一と見なされる構成要素には、それと同じ参照符号を付けて、その説明を省略する。
【００２６】
図１の変圧器の保守支援装置は、変圧器１００の負荷時タップ切換装置１２０を操作する電動操作箱２００に対して設けられている。電動操作箱２００は、負荷時タップ切換装置１２０を操作するためのものである。このために、電動操作箱２００は、タップ切換回路２１０を備え、タップ切換回路２１０は、タップ切換の制御を負荷時タップ切換装置１２０に対して行う。これにより、負荷時タップ切換装置１２０では、駆動部１２２Ａが動作し、主接触子１２２Ｂ、１２２Ｅや抵抗接触子１２２Ｃ、１２２Ｄが開閉する。
【００２７】
こうした電動操作箱２００に対して設けられている保守支援装置は、電流検出回路１、タップ切換検出回路２、入力回路３、演算回路４、記憶回路５、判定回路６、警報回路７および表示部８を備えている。
【００２８】
電流検出回路１は、変圧器１００と共に設けられている変流器１Ａに流れる電流から、変圧器１００に流れる負荷電流を検出する。電流検出回路１は、負荷電流を検出すると、電流検出信号を入力回路３に送る。なお、変流器１Ａは、変圧器１００が設置されている変電所の電線３００に設けられている。
【００２９】
タップ切換検出回路２は、電動操作箱２００のタップ切換回路２１０により行われるタップの切り換えを検出する。タップ切換検出回路２は、タップ切換回路２１０からのタップ切換信号により、タップの切り換えを検出すると、タップ切換信号を入力回路３に送る。このタップ切換信号は、タップ切換回路に加わる電圧を常時監視しているもので、回路中の「タップ切換中のみ電圧が加わっている部分」から検出する。
【００３０】
入力回路３は、電流検出回路１から受け取った電流検出信号と、タップ切換検出回路２から受け取ったタップ切換信号とを演算回路４に送る。
【００３１】
演算回路４は、入力回路３からの電流検出信号とタップ切換信号とを基に、変圧器１００の主接触子１２２Ｂ、１２２Ｅと抵抗接触子１２２Ｃ、１２２Ｄの消耗量を調べる。このとき、演算回路４は、変圧器１００の規定の電流に対する検出した負荷電流の比率（以下、「変圧器負荷」という）を算出する。そして、この実施の形態では、算出した変圧器負荷の大きさにより、切換開閉器１２２の主接触子１２２Ｂ、１２２Ｅ（以下、単に「主接触子」という）と抵抗接触子１２２Ｃ、１２２Ｄ（以下、単に「抵抗接触子」という）との消耗の状態が異なることを加味している。
【００３２】
つまり、演算回路４では、
ａ１．変圧器負荷が７０〜８０％では、主接触子と抵抗接触子とが均一に磨耗
ａ２．変圧器負荷が上記よりも多いとき、主接触子の消耗増大、抵抗接触子の消耗減
ａ３．変圧器負荷が上記よりも少ないとき、主接触子の消耗減少、抵抗接触子の消耗増大
という知見を基にしている。具体的に基準の点検インターバル（回数）を１０万回にすると、演算回路４は、
ｂ１．変圧器平均負荷４０％以下の場合、点検インターバルを１０万回から６万回に抵抗接触子の磨耗量を補正
ｂ２．変圧器平均負荷４０〜５０％の場合、点検インターバルを１０万回から８万回に抵抗接触子の磨耗量を補正
するような、抵抗接触子の消耗量と変圧器負荷との関係を用いる。
【００３３】
これらの補正値は、変圧器負荷７０〜８０％で接触子が均等磨耗するように設計された負荷時タップ切換器に適用するものである。これ以外のものについても、設定を変更することで対応可能であり、また最新の知見に合わせて変更することもできる。
【００３４】
主接触子および抵抗接触子の消耗量と変圧器負荷との関係（以下、「所定関係」という）を図２に示す。図２では、主接触子と抵抗接触子とが均一に磨耗する点を基準点とし、この基準点の消耗量を１００％としている。そして、図２では、主接触子の消耗量は、変圧器負荷に比例している。これに対して、抵抗接触子の消耗量を次のようにしている。基準点に比べて低い変圧器負荷４０％以下の場合は、上記ｂ１により、点検インターバルの１０万回と６万回との比率から、抵抗接触子の消耗量は１６７％である。また、基準点に比べて低い変圧器負荷４０〜５０％の場合は、上記ｂ２により、点検インターバルの１０万回と８万回との比率から、抵抗接触子の消耗量は１２５％である。さらに、負荷５０％以上の場合は、点検インターバルの１０万回としているので、抵抗接触子の消耗量は１００％である。
【００３５】
こうした背景を基にした演算回路４は、タップ切換信号を受け取ると、例えば図３に示す消耗量演算処理を行う。演算回路４は、消耗量演算処理を開始すると、タップ切換信号を受け取った時点での、電流検出回路１からの電流検出信号から、変圧器１００に流れている電流を調べて（ステップＳ１）、変圧器１００の変圧器負荷を算出する（ステップＳ２）。ステップＳ２で、演算回路４は、ステップＳ１で調べた電流と、変圧器１００の規定の電流との比率により、先に述べた変圧器負荷を算出する。
【００３６】
ステップＳ２が終了すると、演算回路４は、所定関係（図２）により、主接触子と抵抗接触子との消耗量を演算する（ステップＳ３）。ステップＳ３で、例えば、変圧器負荷が３０％である場合に、演算回路４は、変圧器負荷の３０％に対応すると共に点検インターバル１０万回の場合の主接触子の消耗量を基に、今回の消耗量を算出する。点検インターバルの１０万回が基準であり、この点検インターバルにおける主接触子の消耗量が例えば４０％であるので、演算回路４は、４０×１０−５％を、今回のタップ切換による主接触子の消耗量とする。また、演算回路４は、変圧器負荷が３０％である場合に、変圧器負荷の３０％に対応すると共に点検インターバル１０万回の場合の抵抗接触子の消耗量１６７％を基に、今回の消耗量を算出する。点検インターバルの１０万回が基準であり、抵抗接触子の消耗量が１６７％であるので、演算回路４は、１６７×１０−５％を、今回のタップ切換による抵抗接触子の消耗量とする。
【００３７】
この後、演算回路４は、ステップＳ３での演算結果を記憶回路５に保存する（ステップＳ４）。ステップＳ４が終了すると、演算回路４は、タップ切換信号を参照して、次のタップ切換があるかどうかを判定する（ステップＳ５）。ステップＳ５で次のタップ切換信号があると、演算回路４は、処理をステップＳ１に戻す。また、ステップＳ５で次のタップ切換がなければ、演算回路４は消耗量演算処理を終了する。
【００３８】
記憶回路５は、演算回路４が消耗量演算処理のステップＳ３で演算した、タップ切換による主接触子と抵抗接触子の各消耗量を記憶している。これにより、記憶回路５は、各タップ切換による主接触子と抵抗接触子の消耗量を順次に記録していく。
【００３９】
判定回路６は、記憶回路５が記録しているデータである、各タップ切換による主接触子と抵抗接触子との各消耗量から、現時点での主接触子と抵抗接触子の消耗量を調べ、変圧器１００の点検予定の時期や更新予定の時期を判定する。このために、判定回路６は、例えば図４に示す判定処理を定期的に行う。判定回路６は、判定処理を開始すると、判定対象の接触子として例えば主接触子を選択する（ステップＳ２１）。この後、判定回路６は、ステップＳ２１の選択に該当する接触子である主接触子について、記憶回路５から現時点までの各タップ切換による消耗量を抽出する（ステップＳ２２）。ステップＳ２２が終了すると、判定回路６は、抽出した各消耗量を積算し（ステップＳ２３）、主接触子の現時点での積算値を算出する。そして、判定回路６は、算出した積算値から、図５に示すように、点検予定の時期であるかどうかを判定する（ステップＳ２４）。なお、図５では、１０万回相当の磨耗量が消耗量１００％であり、２０万回相当の磨耗量が消耗量２００％である。磨耗量としては、主接触子と抵抗接触子の厚さや、タップ切換の回数で表してもよい。
【００４０】
ステップＳ２４で点検予定の時期であると、判定回路６は、点検予定の時期が来ていることを示す警報信号を警報回路７に出力する（ステップＳ２５）。ステップＳ２４で現時点が点検予定の時期でなければ、判定回路６は、更新予定の時期（図５）であるかどうかを判定する（ステップＳ２６）。ステップＳ２６で更新予定の時期であると、判定回路６は、更新予定の時期が来ていることを示す警報信号を警報回路７に出力する（ステップＳ２７）。ステップＳ２６で現時点が更新予定の時期でなければ、判定回路６は、接触子の現時点の消耗量等の消耗状態を示す消耗状態信号を表示部８に出力する（ステップＳ２８）。ステップＳ２８で、判定回路６は、現時点での主接触子や抵抗接触子の消耗量と共に、現在時点までの主接触子や抵抗接触子の消耗量の推移から、点検予定の時期や更新予定の時期を推定し、推定結果を表示部８に表示する。
【００４１】
判定回路６は、ステップＳ２５、ステップＳ２７またはステップＳ２８が終了すると、未選択の接触子があるかどうかを判定する（ステップＳ２９）。ステップＳ２９で未選択の接触子があると、判定回路６は、次の接触子を選択して（ステップＳ３０）、処理をステップＳ２２に戻す。ステップＳ２９で未選択の接触子がなければ、判定回路６は判定処理を終了する。
【００４２】
次に、この実施の形態の保守支援装置による変圧器の保守支援方法について説明する。電動操作箱２００は、変圧器１００から顧客に送る電圧が一定になるようにするために、タップ切換回路２１０に指示を出して、負荷時タップ切換装置１２０を制御する。これにより、負荷時タップ切換装置１２０は、変圧器１００のタップを切り換える。
【００４３】
保守支援装置のタップ切換検出回路２は、タップ切換回路２１０からのタップ切換信号によりタップ切換を検出すると、入力回路３にタップ切換信号を送る。入力回路３は、タップ切換信号を受け取ると、このタップ切換信号を演算回路４に送ると共に電流検出回路１からの電流検出信号を演算回路４に送る。
【００４４】
演算回路４は、入力回路３からの電流検出信号とタップ切換信号とを基に、変圧器１００の変圧器負荷の大きさにより、変圧器１００の切換開閉器１２２の主接触子と抵抗接触子との消耗量が異なることを加味して、主接触子と抵抗接触子の消耗量を算出する。演算回路４は、算出結果を記憶回路５に記録する。
【００４５】
この後、判定回路６は、記憶回路５に記録されている消耗量から、変圧器１００の点検や更新の予定を定期的に判定する。判定回路６は、主接触子および抵抗接触子の少なくとも一方が点検予定の時期であると、警報回路７に警報信号を出力する。これにより、警報回路７は、変圧器１００の点検予定の時期が来たことを知らせる。また、主接触子および抵抗接触子の少なくとも一方が更新予定の時期であると、判定回路６は警報回路７に警報信号を出力する。これにより、警報回路７は、変圧器１００の更新予定の時期が来たことを知らせる。一方、点検予定や更新予定の時期が到来していなければ、判定回路６は消耗状態信号を表示部８に出力する。表示部８は、現時点での主接触子や抵抗接触子の消耗量等を表示する。
【００４６】
こうして、この実施の形態によれば、主接触子の消耗量を判定すると共に抵抗接触子の消耗量も判定するので、変圧器１００の点検や更新の時期を適切に判定することを可能にする。これにより、変圧器１００を適正な時期に点検することができ、故障・事故の防止を可能にする。また、点検・更新時期の適正化により、無駄なコストの低減を可能にする。
【符号の説明】
【００４７】
１  電流検出回路（電流検出手段）
２  タップ切換検出回路（判定手段）
３  入力回路（判定手段）
４  演算回路（判定手段）
５  記憶回路（判定手段）
６  判定回路（判定手段）
７  警報回路
８  表示部
【図１】
0005579795.tif 000002
【図２】
0005579795.tif 000003
【図３】
0005579795.tif 000004
【図４】
0005579795.tif 000005
【図５】
0005579795.tif 000006
【図６】
0005579795.tif 000007
【図７】
0005579795.tif 000008
【図８】
0005579795.tif 000009
【図９】
0005579795.tif 000010
【図１０】
0005579795.tif 000011
【図１１】
0005579795.tif 000012
【図１２】
0005579795.tif 000013